(57)【要約】      （修正有） 【課題】スポークに簡単に取り付け及び取り外すことができ、スポーク上の様々な位置に様々な方向を向けて固定することにより、不規則に光を反射することができるスポーク用反射材を提供する。【解決手段】自転車のスポーク４部分に取り付ける取付部と、前記取付部を裏面中央に固定し表面に反射材を施した反射部とからなることを特徴とするスポーク用反射材１と、前記取付部を、前記反射部の裏面中央に間隔を設けて平行に起立させて設け上端同士を近接させた同型同大の挟み板からなる取付部としたことを特徴とするスポーク用反射材の構成とした。【選択図】図６
0003162427.tif 000002
【実用新案登録請求の範囲】
【請求項１】
自転車のスポーク部分に取り付ける取付部と、前記取付部を裏面中央に固定し表面に反射材を施した反射部とからなることを特徴とするスポーク用反射材。
【請求項２】
前記取付部を、
前記反射部の裏面中央に間隔を設けて平行に起立させて設け上端同士を近接させた同型同大の挟み板からなる取付部としたことを特徴とする請求項１に記載のスポーク用反射材。
【考案の詳細な説明】
【技術分野】
【０００１】
本考案は、自転車のスポークに取り付ける反射材に関する。
【背景技術】
【０００２】
従来のスポーク用反射材は、複数本のスポークに渡って平板状の反射材を取り付けるものや、スポーク丈の半分若しくはそれ以上の長さの筒状体をしておりスリットを設けて各スポークに取り付けるものがあった。
【０００３】
しかしながら、従来の平板状の反射材では、複数のスポークを前後から挟んでネジ留め等により固定するものであり、取付けが面倒であった。
【０００４】
また、スポーク丈の半分若しくはそれ以上の長さの筒状体をし、スリットを設けた反射材では、反射材の光の反射が単調であり、他の通行者やドライバーへ注意を促す効果は期待できなかった。
【先行技術文献】
【特許文献】
【０００５】
【特許文献１】実用新案登録第３１４８３０９号公報
【考案の概要】
【考案が解決しようとする課題】
【０００６】
そこで、本考案は、スポークに簡単に取り付け及び取り外すことができ、スポーク上の様々な位置に様々な方向を向けて固定することにより、不規則に光を反射することができるスポーク用反射材を提供する。
【課題を解決するための手段】
【０００７】
本考案は、上記の課題を解決するために、自転車のスポーク部分に取り付ける取付部と、前記取付部を裏面中央に固定し表面に反射材を施した反射部とからなることを特徴とするスポーク用反射材の構成とした。
【０００８】
また、前記取付部を、前記反射部の裏面中央に間隔を設けて平行に起立させて設け上端同士を近接させた同型同大の挟み板からなる取付部としたことを特徴とするスポーク用反射材の構成とした。
【考案の効果】
【０００９】
スポーク上の任意の場所に任意の方向に向かって取り付けることができるため、反射材が光を反射する際に不規則な動きで光を反射し、ドライバーを始めとする周囲の者に対して自分の存在を効果的に認識させることが出来る。
【００１０】
更に、一本のスポークに対して複数のスポーク用反射材を取り付けることが出来るため、全てのスポークに均等にスポーク用反射材を取り付けたり、一部に多くのスポーク用反射材を取り付けて様々な方向を向かせることにより、より不規則な光の反射させることができ、一度取り付けた後でも、簡単に配置方法を変更することができる。
【図面の簡単な説明】
【００１１】
【図１】本考案であるスポーク用反射材の正面図である。
【図２】本考案であるスポーク用反射材の背面図である。
【図３】本考案であるスポーク用反射材の平面図である。
【図４】本考案であるスポーク用反射材の側面図である。
【図５】本考案であるスポーク用反射材のＡ−Ａ線断面図である。
【図６】本考案であるスポーク用反射材の使用状態を示した図である。
【図７】本考案であるスポーク用反射材の第２実施例の正面図である。
【図８】本考案であるスポーク用反射材の第３実施例の正面図である。
【図９】本考案であるスポーク用反射材の第４実施例の正面図である。
【考案を実施するための形態】
【００１２】
以下、添付の図面を参照し、本考案の実施の形態について詳細に説明する。
【実施例１】
【００１３】
図１は本考案であるスポーク用反射材の正面図、図２はスポーク用反射材の背面図、図３はスポーク用反射材の平面図、図４はスポーク用反射材の側面図、図５はスポーク用反射材のＡ−Ａ線断面図、図６はスポーク用反射材の使用状態を示した図である。
【００１４】
図１から図６に示すように、本考案であるスポーク用反射材１は、自転車のスポーク４部分に取り付ける取付部３と、前記取付部３を裏面中央に固定し表面に反射材２ｃを施した反射部２とからなる。
【００１５】
前記反射部２は、表面中央に表面凹部２ａを形成しており、前記表目凹部２ａに反射材２ｃが取り付けられている。前記反射材２ｃは光を反射する素材であり、図１に示すように、イラストを施したものであってもよい。
【００１６】
図２から図５に示すように、前記反射部２の背面側は空間２ｂとなっており、背面中央には取付部３が形成されている。
【００１７】
前記取付部３は、同型同大の第一挟み板３ａと第二挟み板３ｂからなり、前記第一及び第二挟み板３ａ、３ｂの下部は、各挟み板３ａ、３ｂと反射板２の接続部において、間隔を設けて平行の位置関係にある。
【００１８】
そして、前記各挟み板３ａ、３ｂは上方に向かうに従って平行関係を保ちながら互いに近づき、最上端では最も近接した状態となっている。
【００１９】
また、前記第一挟み板３ａの第二挟み板３ｂ側の上部側面は拡張部３ｃを形成しており、一方、第二挟み板３ｂの第一挟み板３ａ側の上部側面も拡張部３ｃを形成していることから各挟み板３ａ、３ｂの上端同士が最も近接していることがわかる。
【００２０】
前記第一挟み板３ａの第二挟み板３ｂとは反対側には補強部３ｃが施してあり、また第二挟み板３ｂの第一挟み他３ａとは反対側にも補強部３ｃが施してある。この補強部３ｃにより前記第一及び第二挟み板３ａ、３ｂは折れにくくなっている。
【００２１】
尚、前記第一挟み板３ａと第二挟み板３ｂの間は空間３ｅとなっており、下方（即ち反射部２側へ下方するにつれて空間３ｅの幅が徐々に広くなっている。
【００２２】
図２及び図６に示すように、以上のように構成されるスポーク用反射材１を自転車のスポーク４に取り付けるには、前記第一挟み板３ａと第二挟み板３ｂの間を押し広げながらスポーク４を空間３ｅに押し込んで取り付ける。
【００２３】
尚、スポーク用反射材１をスポーク４から取り外すには、スポーク用反射材１を引っ張ることにより第一挟み板３ａと第二挟み板３ｂの間が徐々に開き、容易に取り外すことができる。
【実施例２】
【００２４】
図７は本考案であるスポーク用反射材の第２実施例の正面図である。図７に示すように、スポーク用反射材１ａは実施例１で示したスポーク用反射材１と全く同じ構造をしており、反射材２ｄに施されたデザインが異なるだけである。
【実施例３】
【００２５】
図８は本考案であるスポーク用反射材の第３実施例の正面図である。図８に示すように、スポーク用反射材１ｂは実施例１及び実施例２で示したスポーク用反射材１、１ａと全く同じ構造をしており、反射材２ｅに施されたデザインが異なるだけである。
【実施例４】
【００２６】
図９は本考案であるスポーク用反射材の第４実施例の正面図である。図９に示すように、スポーク用反射材１ｃは実施例１、実施例２及び実施例３で示したスポーク用反射材１、１ａ、１ｂと全く同じ構造をしており、反射材２ｆに施されたデザインが異なるだけである。
【００２７】
以上のように、前記反射材に様々な形状の目と口を付して顔を表した反射材とした。尚、実施例１の反射材２ｃでは笑顔、実施例２の反射材２ｄでは片目を閉じてウインクした顔、実施例３の反射材２ｅでは驚いた顔、実施例４の反射材２ｆでは少し目つきの悪い顔を現している。また、前記反射材２ｃには、顔の他にキャラクター、動物等の他のデザインを施してもよい。
【００２８】
また、図１に示すように、前記反射部２の平面形状は円形をしているが、この平面形状を星形、ハート型などの円形以外の形状であってもよい。
【産業上の利用可能性】
【００２９】
本考案であるスポーク用反射材は、不規則な光の反射により、効果的に注意を促すことが出来るためより安全に自転車を運転することができるため交通事故を抑制することが期待できる。
【符号の説明】
【００３０】
１    スポーク用反射材
１ａ  スポーク用反射材
１ｂ  スポーク用反射材
１ｃ  スポーク用反射材
２    反射部
２ａ  表面凹部
２ｂ  背面空間
２ｃ  反射材
２ｄ  反射材
２ｅ  反射材
２ｆ  反射材
３    取付部
３ａ  第一挟み板
３ｂ  第二挟み板
３ｃ  補強部
３ｄ  拡張部
３ｅ  空間
４    スポーク
４ａ  タイヤ
【図１】
0003162427.tif 000003
【図２】
0003162427.tif 000004
【図３】
0003162427.tif 000005
【図４】
0003162427.tif 000006
【図５】
0003162427.tif 000007
【図６】
0003162427.tif 000008
【図７】
0003162427.tif 000009
【図８】
0003162427.tif 000010
【図９】
0003162427.tif 000011